(57)【要約】【課題】画像を生成するために必要なパラメータの全てではなく、結果的に得られた画像を用いてユーザがしたいことを示す設定に対して、ユーザがカメラを設定することを可能にするデジタルカメラのユーザインタフェースである。【解決手段】エイリアス、ショートカット、ベクトル等の集合の各々はパラメータ設定の集合を表す。例えば、このような設定の名前は、“電子メール”、“４ｘ６以下”、“５ｘ７以下”、“８ｘ１０以下”又は“可能な最高品質”とすることが可能である。このような設定を用いると、電子メールを送る又はＰＣ上で表示するためにユーザがピクチャを取っている場合、低解像度及び低圧縮パラメータが用いられることができる。ユーザが８ｘ１０プリントを作りたい場合、良好な８ｘ１０プリントを生成する画像を提供するために、カメラは解像度と圧縮とを調整する。【選択図】図２
2005073237.tif 000002
【特許請求の範囲】
【請求項１】
画像を捕捉することが可能であるデジタルカメラを設定する方法であって：
デジタル画像の捕捉において用いられる２つ以上のフォーマット選択を提供する段階であって、各々のフォーマット選択はデジタル画像の捕捉のためのパラメータの一意の集合に対応する、段階；
１つのフォーマット選択を選択する段階；及び
フォーマット選択に関連するパラメータの集合を検索する段階；
を有することを特徴とする方法。
【請求項２】
請求項１に記載の方法であって：
検索されたパラメータの集合にデジタルカメラの機能パラメータを設定する段階；
を更に有する、ことを特徴とする方法。
【請求項３】
請求項２に記載の方法であって、デジタル画像を捕捉する段階は、前記パラメータの集合を用いる手順を有する、ことを特徴とする方法。
【請求項４】
請求項１に記載の方法であって、パラメータの集合は解像度及び圧縮レベルを有する、ことを特徴とする方法。
【請求項５】
請求項４に記載の方法であって、フォーマット選択を提供する段階は、少なくとも２つのフォーマット選択を提供する手順であって、第１フォーマット選択のパラメータの集合は第２フォーマット選択のパラメータの集合より高解像度の設定を有する、手順を有する、ことを特徴とする方法。
【請求項６】
請求項４に記載の方法であって、フォーマット選択を提供する段階は、少なくとも２つのフォーマット選択を提供する手順であって、第１フォーマット選択のパラメータの集合は第２フォーマット選択のパラメータの集合より高圧縮設定を有する、手順を有する、ことを特徴とする方法。
【請求項７】
請求項１に記載の方法であって、パラメータの集合の少なくとも１つのパラメータは、高さ解像度、幅解像度、圧縮レベル、色深度、立体トグル、ブラック／ホワイト−カラートグル、ブラック／ホワイト−階調及びそれらの組み合わせを有する群から選択される、ことを特徴とする方法。
【請求項８】
請求項１に記載の方法であって、パラメータの集合は解像度及び圧縮レベルを有する、ことを特徴とする方法。
【請求項９】
請求項１に記載の方法であって：
フォーマット選択の各々に一意の名前を割り当てる段階；
を更に有する、ことを特徴とする方法。
【請求項１０】
請求項１に記載の方法であって：
フォーマット選択の各々に一意のアイコンを割り当てる段階；
を更に有する、ことを特徴とする方法。
【請求項１１】
請求項１に記載の方法であって：
デフォルト値にフォーマット選択に関連するパラメータを割り当てる段階；
を更に有する、ことを特徴とする方法。
【請求項１２】
請求項１に記載の方法であって：
フォーマット選択に関連するパラメータの集合の少なくとも１つのパラメータを修正する段階；
を更に有する、ことを特徴とする方法。
【請求項１３】
請求項１に記載の方法であって：
関連するパラメータの集合を有する新しいフォーマット選択を生成する段階；
を更に有する、ことを特徴とする方法。
【請求項１４】
デジタルカメラの機能パラメータの一意の集合に少なくとも１つのショートカットを割り当てる手段；及び
ユーザが少なくとも１つのショートカットを選択することを可能にする手段；
を有することを特徴とするデジタルカメラユーザインタフェース。
【請求項１５】
請求項１４に記載のデジタルカメラユーザインタフェースであって、機能パラメータは解像度及び圧縮レベルを有する、ことを特徴とするデジタルカメラユーザインタフェース。
【請求項１６】
請求項１５に記載のデジタルカメラユーザインタフェースであって、少なくとも１つのショートカットは少なくとも２つのショートカットを有し、第１のショートカットのパラメータの集合は第２ショートカットのパラメータの集合より高解像度設定を有する、ことを特徴とするデジタルカメラユーザインタフェース。
【請求項１７】
請求項１５に記載のデジタルカメラユーザインタフェースであって、少なくとも１つのショートカットは少なくとも２つのショートカットを有し、第１のショートカットのパラメータの集合は第２ショートカットのパラメータの集合より高圧縮設定を有する、ことを特徴とするデジタルカメラユーザインタフェース。
【請求項１８】
請求項１４に記載のデジタルカメラユーザインタフェースであって：
少なくとも１つのショートカットのパラメータの集合の少なくとも１つのパラメータを変更するための手段；
を更に有する、ことを特徴とするデジタルカメラユーザインタフェース。
【請求項１９】
請求項１４に記載のデジタルカメラユーザインタフェースであって：
機能パラメータの集合を有するようにデジタルカメラの設定を変更するための手段；
を有する、ことを特徴とするデジタルカメラユーザインタフェース。
【請求項２０】
請求項１４に記載のデジタルカメラユーザインタフェースであって、ショートカットを選択することを可能にする手段は：
少なくとも１つのショートカットをバイパスするための手段；及び
ユーザがカメラ機能パラメータを直接選択することを可能にする手段；
を有する、ことを特徴とするデジタルカメラユーザインタフェース。
【請求項２１】
請求項１４に記載のデジタルカメラユーザインタフェースであって：
新しいショートカットに機能パラメータを割り当て且つ前記新しいショートカットを追加するための手段；
を更に有する、ことを特徴とするデジタルカメラユーザインタフェース。
【請求項２２】
請求項２１に記載のデジタルカメラユーザインタフェースであって、前記新しいショートカットに機能パラメータを割り当てるための手段は、前記機能パラメータのためにデフォルト値を割り当てるための手段を有する、ことを特徴とするデジタルカメラユーザインタフェース。
【請求項２３】
請求項１４に記載のデジタルカメラユーザインタフェースであって：
デフォルト値へのショートカットに関連するパラメータを割り当てるための手段；
を更に有する、ことを特徴とするデジタルカメラユーザインタフェース。
【請求項２４】
請求項１４に記載のデジタルカメラユーザインタフェースであって、パラメータの集合の少なくとも１つのパラメータは、高さ解像度、幅解像度、圧縮レベル、色深度、立体トグル、ブラック／ホワイト−カラートグル、ブラック／ホワイト−階調及びそれらの組み合わせを有する群から選択される、ことを特徴とするデジタルカメラユーザインタフェース。
【請求項２５】
デジタルカメラの一意の機能パラメータの集合に少なくとも１つのショートカットを割り当てるように設定された論理；及び
ユーザが少なくとも１つのショートカットを選択するように設定された論理；
を有することを特徴とするデジタルカメラユーザインタフェース。
【請求項２６】
請求項２５に記載のデジタルカメラユーザインタフェースであって、機能パラメータは解像度及び圧縮レベルを有する、ことを特徴とするデジタルカメラユーザインタフェース。
【請求項２７】
請求項２６に記載のデジタルカメラユーザインタフェースであって、少なくとも１つのショートカットは少なくとも２つのショートカットを有し、第１のショートカットのパラメータの集合は第２ショートカットのパラメータの集合より高解像度設定を有する、ことを特徴とするデジタルカメラユーザインタフェース。
【請求項２８】
請求項２６に記載のデジタルカメラユーザインタフェースであって、少なくとも１つのショートカットは少なくとも２つのショートカットを有し、第１のショートカットのパラメータの集合は第２ショートカットのパラメータの集合より高圧縮設定を有する、ことを特徴とするデジタルカメラユーザインタフェース。
【請求項２９】
請求項２５に記載のデジタルカメラユーザインタフェースであって：
少なくとも１つのショートカットのパラメータの集合の少なくとも１つのパラメータを変更するように設定された論理；
を更に有する、ことを特徴とするデジタルカメラユーザインタフェース。
【請求項３０】
請求項２９に記載のデジタルカメラユーザインタフェースであって：
機能パラメータの集合を有するようにデジタルカメラの設定を変更するように設定された論理；
を更に有する、ことを特徴とするデジタルカメラユーザインタフェース。
【請求項３１】
請求項２５に記載のデジタルカメラユーザインタフェースであって、ショートカットを選択するように設定された論理は：
少なくとも１つのショートカットにバイパスをつけるように設定された論理；及び
ユーザがカメラ機能パラメータを直接選択するように設定された論理；
を更に有する、ことを特徴とするデジタルカメラユーザインタフェース。
【請求項３２】
請求項２５に記載のデジタルカメラユーザインタフェースであって：
新しいショートカットに機能パラメータを割り当て且つ前記新しいショートカットを追加するように設定された論理；
を更に有する、ことを特徴とするデジタルカメラユーザインタフェース。
【請求項３３】
請求項３２に記載のデジタルカメラユーザインタフェースであって、前記新しいショートカットに機能パラメータを割り当てるように設定された論理は、前記機能パラメータのためにデフォルト値を割り当てるように設定された論理を有する、ことを特徴とするデジタルカメラユーザインタフェース。
【請求項３４】
請求項２５に記載のデジタルカメラユーザインタフェースであって：
デフォルト値へのショートカットに関連するパラメータを割り当てるように設定された論理；
を更に有する、ことを特徴とするデジタルカメラユーザインタフェース。
【請求項３５】
請求項２５に記載のデジタルカメラユーザインタフェースであって、パラメータの集合の少なくとも１つのパラメータは、高さ解像度、幅解像度、圧縮レベル、色深度、立体トグル、ブラック／ホワイト−カラートグル、ブラック／ホワイト−階調及びそれらの組み合わせを有する群から選択される、ことを特徴とするデジタルカメラユーザインタフェース。
【発明の詳細な説明】
【技術分野】
【０００１】
本発明は、デジタル画像を生成するための装置、システム及びプロセスに関し、更に詳細には、デジタルカメラのためのユーザフレンドリなインタフェースに関する。
【背景技術】
【０００２】
カメラ技術は、例えば、オンチップコンピュータプロセッサ、カメラ内メモリ、電子表示装置及びこれらの技術を可能にする様々な機能等をデジタルプロセッサを組み込むことにより改善されてきた。最初にアナログの３５ｍｍカメラに導入されたが、デジタルカメラは、これらコンピュータ技術を用いることで展開されてきた。デジタルカメラは、カメラのレンズを透過する光波をデジタルデータの集合に変換し、それ故、写真をデジタル化するために予め必要とされるアナログデジタル変換を回避するため、デジタルカメラは、多大な自由度と利便性を提供することができる。このような優位性にも拘らず、デジタルカメラがもたらしてきた新たな困難性が存在する。
【０００３】
デジタルカメラの操作は非常に複雑である。確立される必要がある幾つかの操作パラメータに対する典型的な設定が存在する。一部のデジタルカメラは一部のパラメータに対してデフォルト設定を当然のこととする一方、ユーザがこのような設定を無効にしたい場合がある。例えば、カメラが特定の画像（例えば、６４０ｘ４８０、１１２２ｘ８２０等）のために割り当てる画素数と、圧縮（例えば、‘高精細’、‘精細’‘普通’等）のレベル又は品質は、画像を記憶するために必要なメモリと画像品質とに非常に影響を及ぼす２つのパラメータである。カメラのユーザが写真を取りたいと思う、即ち、異なるサイズ及びデータ圧縮レベルでカメラのメモリに画像を記憶したいと思うことを認識する場合、デジタルカメラは、一般に、ユーザが上記のパラメータの各々に対して幾つかのレベルの１つを選択することを可能にする。例えば、３つの画素設定と少なくとも３つの圧縮レベル設定を有することにより、ユーザは少なくとも９つの有効なモードの中から１つのモードを選択する必要がある。これは、厄介で、ときどき混乱を来たすタスクであり、多くのユーザはこれらの設定のための理由もそれらの間の相互作用も理解できない。
【０００４】
結果的に、通り一遍のユーザにとって、デジタルカメラを用いる経験はフラストレーションを抱かせるものとなる。一部のユーザは、全く同じ操作パラメータの集合と共に画像データ全てを保存したいと思う一方、ユーザは、カメラのユーザが画像を用いて何をするかに基づいて、幾つかの画像を区別したいと思うときがある。例えば、ユーザは、１つの画像であって、ポートレート又は風景を、高品質で大きいフォーマット用紙にプリントしたいと思い、従って、非常に多くの画素数と圧縮による最小のデータ損失とを望む傾向にある。ユーザの次の画像、例えば、家族で行ったピクニックのスナップショットは、電子メール配信及びコンピュータ表示のみを意図されてもよい故に、ユーザは、少ない画素数を好み、高圧縮による大きいデータ損失を受け入れることとなる。
【０００５】
今日のデジタルカメラの問題は、各々の画像のためのパラメータを選択するために複雑な一連のメニュー及びオプションにより操作しなければならず、それ故、次の画像パラメータの集合のためにこのプロセスを繰り返さなければならない。非常に厄介であり、時間を消費することに加えて、一部のユーザは、それらの選択の効果を十分に理解することができず、結局、記憶された画像に関する努力の結果、ユーザのフラストレーションは高まることとなる。
【０００６】
メニューシステムと複数のプログラムモードを有するアナログカメラ及びデジタルカメラの両方が提供されてきた。フル自動モード、絞り優先モード、スピード有線モード、自動フォーカスアルゴリズム、光検出及び露出制御、並びに他のより複雑な機能が提供され、成功の度合いと市場浸透を変えている。上記の特徴はカメラの使用を拡大する一方、それら特徴のどれも、ユーザによる画像の究極の使用にフォーカスを当てていない。
【発明の開示】
【発明が解決しようとする課題】
【０００７】
ユーザがどのように画像を用いたいか、それに応じて、どれがカメラの操作パラメータ、例えば、解像度及び圧縮を設定するかをユーザが表示できる、デジタルカメラユーザインタフェースに対する要求が依然として存在している。初心者及び／又は急いでいるユーザにとって、この種の設定はピクチャをかなり容易に撮ることを可能にする。
【課題を解決するための手段】
【０００８】
本発明の第１の特徴において、デジタル画像を捕捉する方法は、デジタル画像の捕捉において用いられる２つ以上のフォーマット洗濯を提供する段階であって、各々のフォーマット選択はデジタル画像の捕捉のためのパラメータの一意の集合に対応する、段階と；１つのフォーマット選択を選択する段階と、フォーマット選択に関連するパラメータの集合を検索する段階と；を有する。
【０００９】
本発明の他の特徴において、デジタルカメラユーザインタフェースは、デジタルカメラの操作パラメータの一意の集合への少なくとも１つのショートカットを割り当てるための手段と；ユーザが少なくとも１つのショートカットを選択することを可能にする手段と；を有する。
【００１０】
本発明の他の特徴において、デジタルカメラユーザインタフェースは、デジタル亀ｔらの操作パラメータの一意の集合への少なくとも１つのショートカットを割り当てるために構成された論理と；ユーザが少なくとも１つのショートカットを選択することを可能にするように構成された論理と；を有する。
【００１１】
又、本発明の他の特徴及び付帯優位性については、添付図面を参照して、本発明に従った実施形態についての以下の詳細説明を精査することにより、当業者に明確になるであろう。
【発明を実施するための最良の形態】
【００１２】
一般論として、本発明の１つの側面は、画像を生成するために必要なパラメータの全てというより、結果的に得られた画像を用いてユーザはしたいことを示す設定に対して、ユーザがカメラを設定することを可能にするデジタルカメラのユーザインタフェースである。本発明に従って、エイリアス、ショートカット、ベクトル等の集合の各々はパラメータ設定の集合を表す。ショートカットは、パラメータの集合を用いて生成される画像の最終使用に関係する名前、即ち、ユーザが理解できる名前を割り当てられることができる。例えば、このような設定の名前は、“電子メール”、“４ｘ６以下”、“５ｘ７以下”、“８ｘ１０以下”又は“可能な最高品質”とすることが可能である。このような設定を用いると、ユーザが誰かに電子メールを送るため、又はＰＣ上で表示するためにのみにピクチャを撮る場合、低解像度及び低圧縮パラメータが用いられることができる。ユーザが８ｘ１０プリントを作りたい場合、それらプリントはショートカットを選択し、カメラは、解像度と、圧縮と、良好な８ｘ１０プリントを生成する画像を提供する任意の付加的パラメータとを調節する。ここで、図を参照するに、パラメータアレイ１０の例証としての実施形態を図１に示している。当業者は、デジタルカメラの機能及び動作であって、特に、カメラの中央演算処理装置により機能される実行命令の集合に精通している。従って、デジタルカメラの構造及びデジタルカメラにおいて機能するソフトウェアについての知識はここでは当然のことであり、それ故、本発明の特徴を分かり難くすることはない。
【００１３】
アレイ１０は、ＮｘＭのアレイとして示されており、Ｐ１乃至ＰＮの解像度画素設定及びＣ１乃至ＣＮのデータ圧縮設定により、本発明の好適な実施形態を示している。本発明は２つの機能パラメータに限定されるものではなく、それ故、ＮｘＭアレイに限定されるものではなく、デジタルカメラにおいて撮られる画像のために設定されることができるいずれの数のパラメータを有する。例としてであって、限定するものではなく、機能パラメータの集合は：高さに対する解像度画素と；幅（Ｗ）に対する解像度画素と；色深度（例えば、画素当たりのビット数）と；立体トグル（２Ｄ／３Ｄ）と；ブラック／ホワイト−カラートグルと；ブラック／ホワイト階調と；を有する。アレイ１０において用いられることができる他の機能パラメータについて、当業者は容易に理解でき、それらは本発明の範囲内に含まれるが、これに限定されるものではない。
【００１４】
４つ以上のパラメータを有するアレイの視覚化には多少の困難性があるため、例えば、
（Ｐｉ，Ｃｊ，．．．，Ｘｙ）のベクトルＳにより表されるアレイにおける各々のセルをオ考慮することは有用であり、ここで、ｉ，ｊ，．．．，ｙは各々のパラメータＰ，Ｃ，．．．，Ｘそれぞれについての定数であり、Ｘは付加的パラメータを表す。パラメータ全ての順列は多くの数のベクトルＳを結果的に生じる一方、特定にパラメータの集合へのショートカットとしては、それらのベクトルの少数がユーザに興味をもたれる。更に詳細には、本発明に従って、限定されたパラメータの順列全てのベクトル表示は、デジタルカメラのユーザインタフェースの論理におけるショートカットを割り当てられ、有用な且つ一意の名前、アイコン、又はそれら両方を用いるユーザインタフェースにおいて提供される。任意に、ユーザインタフェースの論理は、ユーザが規定するベクトルを付加する機能を更に有し、デジタルカメラのユーザ制御を用いてユーザがそれらベクトルに名前を割り当てることを可能にする。任意に、デジタルカメラの論理は、デフォルトと異なる設定との間の各々の所定のショートカットのための設定をユーザが変更することを可能にする論理を有する、即ち、いずれ１つの所定ベクトルに関連した設定は又変更されることができる。更に、任意に、デジタルカメラの論理は、ユーザに全部のパラメータのアレイへの完全なアクセス（高度な設定）又は、有用な名前をもつ前もって割り当てられたベクトルの副集合のみ（初心者の設定）を与える目的のために、初心者の／高度のトグルを有する。そのような設定の他のレベルは又、本発明の範囲内にある。
【００１５】
図１は、初心者のユーザにとって興味がある例示としての３つのアレイセルを模式的に示しており、それらのベクトルアドレスは下線を付けられている。図１に示している例において、行は画素の総数の異なる値を示す一方、列は異なる圧縮レベルを表している。例としてであって、これに限定されるものではないが、アドレスＰ１Ｃ３はショートカット“電子メール”を、アドレスＰ３Ｃ１はショートカット“５ｘ７以下”を、そしてアドレスＰ３Ｃ３はショートカット“可能な最高品質”を割り当てられることができる。上記のように、他のパラメータはアレイの一部とすることができ、結果的に、各々のベクトルは更なる成分を有することがもたらされる。しかしながら、ユーザが特別の興味をもつベクトルへのショートカットがカメラの論理によりユーザに提供される本発明の特徴は又、これらの付加的な実施形態の基礎にある。
【００１６】
図２は、本発明の例証としての実施形態に従ったデジタルカメラ２０の簡単化した様子を示している。カメラ２０は、レンズ２２、カメラの論理によい駆動されるユーザインタフェース２４及びシャッタ制御部２６を有する。カメラ２０のための機能パラメータの集合への多くのショートカット３０は、現在、アクティブな機能パラメータの集合３２へのショートカットを有するユーザインタフェース２４において、ユーザに対して表示される。多くのユーザ制御が、カメラの論理と対話するユーザのために提供される一方、例えば、規定されたショートカットのメニューにより動くために簡単な‘次の設定セレクタ’２８を、提供することができる。他の制御は、当業者に周知であるように、提供されることができる。
【００１７】
ユーザが、ユーザインタフェースを通してカメラの論理によりユーザに提供されるショートカットの１つを選択するとき、カメラの論理は、ショートカットに関連するベクトルのパラメータ設定に従ってカメラにおける設定を変更する。その後、ユーザが、パラメータの集合により規定されるフォーマットに従ってピクチャを撮るようにカメラの論理を指令するためにカメラの入力制御（例えば、‘ショートカット’又は‘レリーズ’２６）を操作するとき、これらのパラメータの設定が用いられ、結果として得られた画像データはユーザの選択に従って記憶される。。ユーザが、次の画像のためのパラメータの異なる集合を用いたい場合、ユーザは、単に異なるショートカットを選択することを必要とし、ピクチャを撮る。勿論、高度のユーザに対しては、ショートカットのメニューは、カメラの論理によりユーザに対して提供される適切なトグルを用いて、非選択状態にされることができ、それ故、その高度なユーザは、各々のパラメータに対する値を個別に選択することができる。当業者にとって周知であるように、画像の画素数は、典型的には、ＨｘＷ（高さｘ幅）により表される一方、圧縮レベルは更に口語的な用語（‘高精細’、‘精細’、‘普通’）を割り当てられ、本発明のユーザインタフェースは、ユーザに対してこれらのパラメータ‘レベル’の名前を提供する。
【００１８】
図３は、エイリアスのテーブルの例とそれらの関連するパラメータを示している。本発明の１つの特徴は、デジタルカメラ２０は、少なくとも１つであって、好適には数個の所定のエイリアスであり、例えば、“電子メール”、“４ｘ６写真”、“８ｘ１０写真”を、デフォルト値において設定される、解像度Ｘ、解像度Ｙ，圧縮レベル、色深度及びここで説明した他のパラメータから成る関連する機能パラメータと共に、有することである。それ程好適ではないが、本発明の特徴は、カメラ２０が所定のエイリアスを有しないことである。また、本発明の他の特徴は、カメラ２０の論理が、ユーザが１つまたはそれ以上の既存のエイリアスのパラメータの集合の値を選択する及び／又は修正するためにユーザに利用可能であるエイリアスの集合に新しいエイリアスを追加するようにする、論理を有することである。従って、例えば、カメラ２０の論理は、ユーザが例えば、解像度Ｘ＝６４０、解像度Ｙ＝４８０、圧縮レベル＝普通、及び色深度＝８ビット階調等の利用可能な設定の１つに“お父さん”に関連する個々の機能パラメータを設定し、“お父さん”と名付けられたエイリアスを追加するようにする。更に、任意に、新しいエイリアスが生成されたとき、所定の（又は、ユーザが規定する）デフォルト値が新しいエイリアスのためのパラメータに割り当てられる。ユーザが、後に、“お父さん”又はいずれの他のエイリアスに対する設定を変更したい場合、カメラ２０の論理は、“お父さん”に関連するいずれの個々のパラメータ設定を修正する又は全部のエイリアスをユーザが削除するようにする。
【００１９】
本発明は、本発明の好適な実施形態を参照して詳細に説明したが、本発明の範囲から逸脱することなく、種々の変更がなされることが可能であり、同等の内容が実施されることが可能であることは、当業者には明らかであろう。
【図面の簡単な説明】
【００２０】
【図１】本発明に従った例証としてのシステムの模式図である。
【図２】本発明の例証としての実施形態に従ってデジタルカメラの簡単化した外観の    模式図である。
【図３】本発明に従った設定の例証としてのテーブルの模式図である。
【符号の説明】
【００２１】
１０    アレイ
２０    カメラ
２２    レンズ
２４    ユーザインタフェース
２６    シャッタ制御部
２８    次の設定セレクタ
３０    ショートカット
３２    機能パラメータの集合
【図１】
2005073237.tif 000003
【図２】
2005073237.tif 000004
【図３】
2005073237.tif 000005